(57)【特許請求の範囲】
【請求項１】
掃除機本体と、
前記掃除機本体に着脱自在なダストボックスと、
前記ダストボックスに備えられ、回動可能な把手と前記掃除機本体へ固定するための連結部とを有し、
前記把手は、略円弧形状で両端がダストボックスに軸支され、持ち運ぶための第１の位置と、ダストボックスに設けた収納部に収納される第２の位置とで回動可能に構成され、
前記連結部は前記把手の位置に応じて摺動する連結軸で構成し、
前記連結軸は、上部に突出部を有し、付勢手段によって前記掃除機本体の前方側へと付勢された状態で前後方向に摺動自在に狭持され、
前記把手の回動軌跡が最も長い中央部分には、前記把手を第１の位置から第２の位置まで回動する動作の中で、前記連結軸の突出部を前記掃除機本体の後方に移動させ、前記掃除機本体の嵌合部に嵌合させる傾斜面が設けられており、
前記把手が第２の位置にある時には前記連結軸が前記掃除機本体の嵌合部に嵌合され、前記把手を第１の位置に回動させると前記連結軸と前記掃除機本体との嵌合が前記付勢手段により解除される構成とし、さらに前記掃除機本体の嵌合部に前記連結軸の有無を検知するスイッチを設け、前記連結軸の有無からダストボックスの装着状態の有無を検知する機能を搭載した電気掃除機。
【発明の詳細な説明】
【技術分野】
【０００１】
本発明は、着脱式のダストボックスを有する電気掃除機に関するものである。
【背景技術】
【０００２】
従来のこの種の着脱式のダストボックスは、掃除機本体との連結の為の操作部と、ダストボックスの持ち運び用の把手とは別々に構成されていた（例えば、特許文献１参照）。
【０００３】
また、ダストボックスに設けた把手に、掃除機本体との尾錠の機能を設けたものも有った（例えば、特許文献２参照）。
【特許文献１】特開２００６−６１５４３号公報
【特許文献２】特開２００４−２９０３３９号公報
【発明の開示】
【発明が解決しようとする課題】
【０００４】
しかしながら、上記のようなダストボックス持ち運び用の把手と、ダストボックスを掃除機本体へ固定する連結軸とが独立した動きをする構成では、ダストボックスを取り外す際に片手で把手を持ち上げ、もう一方の手で連結を解除する操作を行う必要があり、使い勝手を悪くしていた。さらに、この把手は掃除機本体の持ち運び用の機能を備えているため掃除機本体への固定時の強度を確保する必要があった。
【０００５】
また、ダストボックスに設けた把手に、掃除機本体との尾錠の機能を設けたものでは、上記の使い勝手は改善されているものの、移動の範囲が僅かで有るために、ロック部の嵌合制度を必要とし、設計に難があるという課題が有った。
【０００６】
本発明は上記従来の課題を解決するものであって、ダストボックス着脱における使用性の向上を図ることを可能とするものである。
【課題を解決するための手段】
【０００７】
上記従来の課題を解決するために、本発明の電気掃除機は、掃除機本体と、前記掃除機本体に着脱自在なダストボックスと、前記ダストボックスに備えられ、回動可能な把手と前記掃除機本体へ固定するための連結部とを有し、前記把手は、略円弧形状で両端がダストボックスに軸支され、持ち運ぶための第１の位置と、ダストボックスに設けた収納部に収納される第２の位置とで回動可能に構成され、前記連結部は前記把手の位置に応じて摺動する連結軸で構成し、前記連結軸は、上部に突出部を有し、付勢手段によって前記掃除機本体の前方側へと付勢された状態で前後方向に摺動自在に狭持され、前記把手の回動軌跡が最も長い中央部分には、前記把手を第１の位置から第２の位置まで回動する動作の中で、前記連結軸の突出部を前記掃除機本体の後方に移動させ、前記掃除機本体の嵌合部に嵌合させる傾斜面が設けられており、前記把手が第２の位置にある時には前記連結軸が前記掃除機本体の嵌合部に嵌合され、前記把手を第１の位置に回動させると前記連結軸と前記掃除機本体との嵌合が前記付勢手段により解除される構成とし、さらに前記掃除機本体の嵌合部に前記連結軸の有無を検知するスイッチを設け、前記連結軸の有無からダストボックスの装着状態の有無を検知する機能を搭載するものである。
【０００８】
上記構成より、ダストボックス持ち運び用の把手と連結軸との動きを連動させることができ、把手を持ち上げると連結軸が掃除機本体から外れ片手でダストボックスを取り外すことが可能となり、使い勝手を向上することができるものである。
また、ダストボックス持ち運び用の把手を収納すると把手の動作を確実に連結軸に伝達され、連結軸が、しっかりと掃除機本体に嵌合し、逆に把手を持ち上げると連結軸が掃除機本体から外れ片手でダストボックスを取り外すことができると共に、ダストボックス用の把手で掃除機本体を持ち運ばれる危険性を無くすことができるものである。
また、掃除機本体に連結軸の嵌合状態の有無を検知するスイッチを設けることで、ダストボックスの未装着や誤装着状態での運転を防止することができるものである。
また、回動軌跡が最も長い中央部分に連結軸の突出部を掃除機本体の後方に移動させ、掃除機本体の嵌合部に嵌合させる傾斜面を設けることで、連結軸の摺動距離を十分確保でき
るので嵌合を確実に行え、把手が確実に正規の位置に収納されたことを検知する検知精度の向上を図ることができるものである。
【発明の効果】
【０００９】
本発明の電気掃除機は、ダストボックスの着脱の使用性を向上させることを目的としている。
【発明を実施するための最良の形態】
【００１０】
第１の発明は、掃除機本体と、前記掃除機本体に着脱自在なダストボックスと、前記ダストボックスに備えられ、回動可能な把手と前記掃除機本体へ固定するための連結部とを有し、前記把手は、略円弧形状で両端がダストボックスに軸支され、持ち運ぶための第１の位置と、ダストボックスに設けた収納部に収納される第２の位置とで回動可能に構成され、前記連結部は前記把手の位置に応じて摺動する連結軸で構成し、前記連結軸は、上部に突出部を有し、付勢手段によって前記掃除機本体の前方側へと付勢された状態で前後方向に摺動自在に狭持され、前記把手の回動軌跡が最も長い中央部分には、前記把手を第１の位置から第２の位置まで回動する動作の中で、前記連結軸の突出部を前記掃除機本体の後方に移動させ、前記掃除機本体の嵌合部に嵌合させる傾斜面が設けられており、前記把手が第２の位置にある時には前記連結軸が前記掃除機本体の嵌合部に嵌合され、前記把手を第１の位置に回動させると前記連結軸と前記掃除機本体との嵌合が前記付勢手段により解除される構成とし、さらに前記掃除機本体の嵌合部に前記連結軸の有無を検知するスイッチを設け、前記連結軸の有無からダストボックスの装着状態の有無を検知する機能を搭載するもので、ダストボックス持ち運び用の把手と連結軸との動きを連動させることができ、把手を持ち上げると連結軸が掃除機本体から外れ片手でダストボックスを取り外すことが可能となり、使い勝手を向上することができるものである。
また、ダストボックス持ち運び用の把手を収納すると把手の動作を確実に連結軸に伝達され、連結軸が、しっかりと掃除機本体に嵌合し、逆に把手を持ち上げると連結軸が掃除機本体から外れ片手でダストボックスを取り外すことができると共に、ダストボックス用の把手で掃除機本体を持ち運ばれる危険性を無くすことができるものである。
また、掃除機本体に連結軸の嵌合状態の有無を検知するスイッチを設けることで、ダストボックスの未装着や誤装着状態での運転を防止することができるものである。
また、回動軌跡が最も長い中央部分に連結軸の突出部を掃除機本体の後方に移動させ、掃除機本体の嵌合部に嵌合させる傾斜面を設けることで、連結軸の摺動距離を十分確保できるので嵌合を確実に行え、把手が確実に正規の位置に収納されたことを検知する検知精度の向上を図ることができるものである。
【００１１】
以下、本発明の実施の形態について、図面を参照しながら説明する。なお、この実施の形態によって本発明が限定されるものではない。
【００１２】
（実施の形態１）
本発明の第１の実施の形態における電気掃除機について、図１〜図４を用いて説明する。
【００１３】
図１は、本実施の形態における掃除機本体外観の平面図（ａ）および側面図（ｂ）である。図２は同電気掃除機の中央断面図、図３は本発明の特徴となるダストボックス着脱部分の部分断面図（把手収納位置／ダストボックス連結状態）で、図４は同部分断面図（把手倒位置／ダストボックス解除状態）を示すものである。
【００１４】
図１、２において、１は掃除機本体であり、掃除機本体１下部には走行車輪２が設けられている。走行車輪２の上段には電源コード３が配置され、さらに電源コード３の上段（掃除機本体上部）には、掃除機本体前方にホースを接続する吸気口４を、後方には塵埃を
吸引するための電動送風機５を配置し、吸気口４と電動送風機５との間に塵埃を収容するダストボックス６を配している。ダストボックス６は掃除機本体に対して着脱自在である。
【００１５】
上記構成による動作は、電動送風機５によって吸引された塵埃はダストボックス６内に収容される。収容された塵埃は掃除機本体１からダストボックス６を取り外し、底蓋を開くことで排出でき繰り返し使用できるというものである。
【００１６】
次に、本発明の特徴であるダストボックス６の着脱構成について図３と４を用いて説明する。
【００１７】
円筒状のダストボックス６は、上段にダストボックスの外周に沿った円弧状の把手７が両端を枢機され回動自在に構成されると共に連結軸８を有する蓋ユニット９を形成し下段に塵埃を収容する集塵室１０を形成している。
【００１８】
本発明の特徴は蓋ユニット９に集約されている。蓋ユニット９の上部には前後方向に回動自在な把手７を、下部には掃除機本体１への嵌合部となる連結軸８を有している。まず、連結軸８の構成であるが、蓋ユニット９を構成する上蓋１１と下蓋１２との間に前後方向に摺動自在に狭持されており、バネ１３によって内側へと付勢されている。また、連結軸８の一部は切り欠かれた上蓋１１より突出し、その突出部１４を前方へ動かすことで連結軸８が蓋ユニットから突出する構成である。次に把手７であるが、把手７はその中央部分が連結軸８の突出部１４に位置するように、ダストボックス６の外形にそって両サイドに半円弧状に伸び、その端部に設けられた軸１５にて回動自在に上蓋１１に支持されている。把手７の回動動作範囲は、持ち運ぶための垂直位置（第１位の位置）から収納部に収納された水平位置（第２の位置）までの約９０度である。把手は水平位置においては連結軸８の突出部１４の内側に接触し、連結軸８をダストボックス６外に突出させ、垂直位置では連結軸８の突出部１４より離れる設定となっている。
【００１９】
本構成における動作としては、把手７を垂直位置（倒立位置）から水平位置（収納位置）まで回動する動作の中で、把手７の傾斜面７ａが連結軸８の突出部１４を後方にずらし、連結軸８をダストボックス６から突出させその突出部１４が掃除機本体１側の嵌合部１６に入り込む。逆に、把手７を持ち上げると連結部分を規制するものがなくなり、バネ１３の付勢力にて連結軸８がダストボックス６内に収納され、ダストボックス６が掃除機本体１から外せる状態となるものである。つまり、使用者がダストボックス６を取り外したい時には、ダストボックス６の把手７を持ち上げるだけで掃除機本体１から取り外すことができるもので、これは掃除機本体１を持ち運ぼうとして誤ってダストボックスの６把手７を持ってしまった時に掃除機本体１が持ち上がらないようにする機能を併せもつものである。このように、本発明によりダストボックス６の着脱性の向上を図るとともに、把手７の誤使用を防止することで把手７のシンプル化を図ることができる。
【００２０】
さらに、嵌合部１６内に連結軸８の有無によってＯＮ／ＯＦＦ状態を切り替えられるスイッチ１７を設けておくと、連結軸８の有無すなわちダストボックス６の有無やダストボックス６の誤装着を判断することができ、ダストボックス６の未装着や誤装着の時に電気掃除機の運転を停止したり、ブザーや音声手段によりお知らせすることができる。
【産業上の利用可能性】
【００２１】
以上のように、本発明にかかる電気掃除機のダストボックス着脱構成は、着脱性の使用性向上を図るとともに、把手の誤使用を防止する構成として有用である。
【図面の簡単な説明】
【００２２】
【図１】（ａ）本発明の実施の形態１における掃除機本体外観の平面図（ｂ）同側面図
【図２】同電気掃除機の中央断面図
【図３】同ダストボックス着脱部の部分断面図（把手収納状態）
【図４】同ダストボックス着脱部の部分断面図（把手倒立状態）
【符号の説明】
【００２３】
１    掃除機本体
６    ダストボックス
７    把手
８    連結軸（連結部）
１３  バネ（付勢手段）
１４  突出部
１７  スイッチ
【図１】
0005104483.tif 000002
【図２】
0005104483.tif 000003
【図３】
0005104483.tif 000004
【図４】
0005104483.tif 000005